(57)【要約】    【課題】  モップ用の柄が備える挟持体により柄とモップ用拭糸体を容易に結合し得、可及的に無駄なく効率的にモップ用拭糸体を清掃に利用し得るモップ用拭糸体及びモップの提供。    【解決手段】  モップ用拭糸体Ｌは、第１拭糸群Ｌ１及び第２拭糸群Ｌ２、並びに、それらの両拭糸群の基部同士をその基部の横方向幅Ｗにわたり連結する連結部Ｊからなる。芯部Ｐは、第１拭糸群Ｌ１及び第２拭糸群Ｌ２がそれぞれ連結部Ｊの前及び後に位置するように水平方向に展開した状態において、連結部Ｊにおける前後方向中央位置に、上下方向中央部において水平状に位置して前後方向及び上下方向に対称状をなす。【選択図】      図４
2010259608.tif 000002
【特許請求の範囲】
【請求項１】
第１拭糸群及び第２拭糸群、並びに、それらの両拭糸群の基部同士をその横方向幅にわたり連結する連結部を備えてなるモップ用拭糸体であって、
前記連結部は、モップ用の柄が備える挟持体により挟持するための芯部を有し、
第１拭糸群及び第２拭糸群がそれぞれ連結部の前及び後に位置するように水平方向に展開した場合に、第１拭糸群及び第２拭糸群はそれぞれ所定の横方向幅と所定の上下方向の厚みにわたり多数の略前後方向の拭糸が並列状をなし、第１拭糸群は、上側及び下側にそれぞれ位置する側面部１Ａ及び側面部１Ｂを有し、第２拭糸群は、上側及び下側にそれぞれ位置する側面部２Ａ及び側面部２Ｂを有し、前記芯部は、上下方向中央部において水平状に位置して一定の横方向幅にわたるものであり、
水平状をなすようにした芯部において吊り下げることにより、側面部１Ｂと側面部２Ｂが相対するように第１拭糸群と第２拭糸群がそれぞれ芯部の両側に垂下した第１の状態となし得ると共に、上下反転させた状態で水平状をなすようにした芯部において吊り下げることにより、側面部１Ａと側面部２Ａが相対するように第１拭糸群と第２拭糸群がそれぞれ芯部の両側に垂下した第２の状態となし得、
第１の状態及び第２の状態の何れにおいても、芯部のうち少なくともモップ用の柄が備える挟持体により挟持される部分は、前記挟持体により上側から挟持する上で実質上同一状をなすことを特徴とするモップ用拭糸体。
【請求項２】
第１拭糸群の拭糸と第２拭糸群の拭糸が連結部を挟んで分離している請求項１記載のモップ用拭糸体。
【請求項３】
連結部が、芯体と可撓性シート材を備えてなり、
芯部は、芯体が可撓性シート材により被覆されてなるものである請求項２記載のモップ用拭糸体。
【請求項４】
第１拭糸群の拭糸と第２拭糸群の拭糸が連結部において連続し、連結部が、芯体、及び、第１拭糸群の拭糸と第２拭糸群の拭糸の中間位置の拭糸を備えてなり、
第１拭糸群及び第２拭糸群がそれぞれ連結部の前及び後に位置するように水平方向に展開した場合に、連結部において芯体の上下に前記中間位置の拭糸が位置する請求項１記載のモップ用拭糸体。
【請求項５】
連結部が、芯体と、可撓性シート材と、第１拭糸群の拭糸と第２拭糸群の拭糸の中間位置の拭糸を備えてなり、
第１拭糸群及び第２拭糸群がそれぞれ連結部の前及び後に位置するように水平方向に展開した場合に、連結部において芯体の上下に前記中間位置の拭糸が位置し、芯部は、前記芯体及びその芯体の上下の拭糸が前記可撓性シート材により被覆されてなるものである請求項４記載のモップ用拭糸体。
【請求項６】
請求項１乃至５の何れか１項に記載のモップ用拭糸体と、そのモップ用拭糸体を挟持する挟持体を供えた柄とを備えてなるモップ。
【発明の詳細な説明】
【技術分野】
【０００１】
本発明は、第１拭糸群及び第２拭糸群、並びに、それらの両拭糸群の基部同士をその横方向幅にわたり連結する連結部を備えてなるモップ用拭糸体並びにそのモップ用拭糸体と柄を備えるモップに関する。
【背景技術】
【０００２】
モップ用拭糸体（モップ糸）を柄に取り付ける場合、従前は、例えば特開２００７−１９０３２８号公報に記載されているように、水平棒状の取付体（７）にモップ糸（１０）の中央部を掛けてモップ糸取付台の本体（１）と水平棒状の取付体（７）との間にモップ糸（１０）の中央部をはさむことによりモップ糸取付台にモップ用拭糸体（モップ糸）を取り付け、そのモップ糸取付台を、棒状のモップ柄の先端に取り付けたクリップで挟むことにより、柄の先端部にモップ用拭糸体（モップ糸）を取り付けていた。
【０００３】
この場合、モップ糸（１０）の両外側部を中心に床面等が拭かれることになり、内側部は実際上はあまり利用されない。可及的に無駄なく効率的にモップ糸（１０）を清掃に利用するには、モップ糸（１０）の内側部を清掃に利用する必要があり、そのためには、モップ糸（１０）を取付体（７）から取り外して表裏反転させた上で再度水平棒状の取付体（７）にモップ糸（１０）の中央部を掛けてモップ糸取付台の本体（１）と水平棒状の取付体（７）との間にモップ糸（１０）の中央部をはさむ必要があった。
【０００４】
実開平６−８１４４７号公報には、柄の先端に取り付けられる取付台と、この取付台によって着脱自在に保持されるモップ糸とからなる掃除用具であって、上記取付台は全長にわたる開口溝を有する断面Ｃ字形に形成され、モップ糸は並列に並べられた多数の糸体と、これら糸体の折り畳み部内に配された棒状乃至筒状の軟質部材とからなるものとして形成されて軟質部材が配された折り畳み部が上記取付台にその端面開口から差し込まれて取付台に取着されている清掃用具が開示されている。
【０００５】
特開２００７−１９０３２８号公報に依然として記載されているような従前のモップ糸取付台では、本体（１）と水平棒状の取付体（７）との間にモップ糸（１０）の中央部をはさむ作業又はこれに類する作業を行うことが煩雑であるため、この点を改善する提案がこれまでに種々行われている。すなわち、実開平６−８１４４７号公報記載の例のようにモップ用拭糸体（モップ糸）の基部（中央部）に棒状乃至筒状の軟質部材又は硬質部材を配したり、或いは、モップ用拭糸体（モップ糸）の基部（中央部）に予め硬質部材を固定することにより、モップ用拭糸体（モップ糸）の基部（中央部）の剛性を高め、柄に設けたクリップ等の挟持体や断面Ｃ字形の取付台でモップ用拭糸体（モップ糸）の基部（中央部）の少なくとも一部を直接挟持すればモップとして使用することできるようにしていた。
【０００６】
このようにして基部（中央部）の剛性を高めたモップ用拭糸体（モップ糸）においては、柄にモップ用拭糸体（モップ糸）を取り付ける作業が容易であるが、基部（中央部）が固定されているためモップ用拭糸体（モップ糸）を表裏反転させて使用することができず、可及的に無駄なく効率的にモップ用拭糸体を清掃に利用する上で難点があった。
【先行技術文献】
【特許文献】
【０００７】
【特許文献１】特開２００７−１９０３２８号公報
【特許文献２】実開平６−８１４４７号公報
【発明の概要】
【発明が解決しようとする課題】
【０００８】
本発明は、従来技術に存した上記のような課題に鑑み行われたものであって、その目的とするところは、モップ用の柄が備える挟持体により柄とモップ用拭糸体を容易に結合し得ると共に、可及的に無駄なく効率的にモップ用拭糸体を清掃に利用することができるモップ用拭糸体及びモップを提供することにある。
【課題を解決するための手段】
【０００９】
上記目的を達成する本発明のモップ用拭糸体は、
第１拭糸群及び第２拭糸群、並びに、それらの両拭糸群の基部同士をその横方向幅にわたり連結する連結部を備えてなるモップ用拭糸体であって、
前記連結部は、モップ用の柄が備える挟持体により挟持するための芯部を有し、
第１拭糸群及び第２拭糸群がそれぞれ連結部の前及び後に位置するように水平方向に展開した場合に、第１拭糸群及び第２拭糸群はそれぞれ所定の横方向幅と所定の上下方向の厚みにわたり多数の略前後方向の拭糸が並列状をなし、第１拭糸群は、上側及び下側にそれぞれ位置する側面部１Ａ及び側面部１Ｂを有し、第２拭糸群は、上側及び下側にそれぞれ位置する側面部２Ａ及び側面部２Ｂを有し、前記芯部は、上下方向中央部において水平状に位置して一定の横方向幅にわたるものであり、
水平状をなすようにした芯部において吊り下げることにより、側面部１Ｂと側面部２Ｂが相対するように第１拭糸群と第２拭糸群がそれぞれ芯部の両側に垂下した第１の状態となし得ると共に、上下反転させた状態で水平状をなすようにした芯部において吊り下げることにより、側面部１Ａと側面部２Ａが相対するように第１拭糸群と第２拭糸群がそれぞれ芯部の両側に垂下した第２の状態となし得、
第１の状態及び第２の状態の何れにおいても、芯部のうち少なくともモップ用の柄が備える挟持体により挟持される部分は、前記挟持体により上側から挟持する上で実質上同一状をなすことを特徴とする。
【００１０】
第１拭糸群及び第２拭糸群がそれぞれ連結部の前及び後に位置するように水平方向に展開した場合に、芯部は、上下方向中央部において水平状に位置して一定の横方向幅にわたるものであり、水平状をなすようにした芯部において吊り下げることにより側面部１Ｂと側面部２Ｂが相対するように第１拭糸群と第２拭糸群がそれぞれ芯部の両側に垂下した第１の状態、並びに、上下反転させた状態で水平状をなすようにした芯部において吊り下げることにより側面部１Ａと側面部２Ａが相対するように第１拭糸群と第２拭糸群がそれぞれ芯部の両側に垂下した第２の状態の何れにおいても、芯部のうち少なくともモップ用の柄が備える挟持体により挟持される部分は、前記挟持体により上側から挟持（すなわち上側から両側部を挟持）する上で実質上同一状をなす。
【００１１】
そのため、モップ用の柄が備える挟持体により芯部の少なくとも一部を上側から挟持し、芯部が水平状をなすようにモップ用の柄により吊り下げることにより、側面部１Ｂと側面部２Ｂが内側で相対し、側面部１Ａと側面部２Ａは互いに逆向きに外側に位置するように第１拭糸群と第２拭糸群がそれぞれ芯部の両側に垂下した第１の状態となし得ると共に、上下反転させた状態でモップ用の柄が備える挟持体により芯部の少なくとも一部を上側から挟持し、芯部が水平状をなすようにモップ用の柄により吊り下げることにより、側面部１Ａと側面部２Ａが内側で相対し、側面部１Ｂと側面部２Ｂは互いに逆向きに外側に位置するように第１拭糸群と第２拭糸群がそれぞれ芯部の両側に垂下した第２の状態となし得る。
【００１２】
従って、モップ用の柄が備える挟持体により芯部の少なくとも一部を挟持した第１の状態では外側に位置する側面部１Ａと側面部２Ａを中心として床面等の対象物を拭くことができ、上下反転させてモップ用の柄が備える挟持体により芯部の少なくとも一部を挟持した第２の状態では、外側に位置する側面部１Ｂと側面部２Ｂを中心として床面等の対象物を拭くことができる。そのため、第１の状態及び第２の状態の何れにおいても、モップ用の柄が備える挟持体によって芯部を挟持することにより柄とモップ用拭糸体を容易に結合し得ると共に、第１拭糸群の側面部１Ａ及び側面部１Ｂ、或いは、第２拭糸群の側面部２Ａ及び側面部２Ｂを中心として、可及的に無駄なく効率的にモップ用拭糸体を清掃に利用することができる。
【００１３】
本発明のモップ用拭糸体は、第１拭糸群の拭糸と第２拭糸群の拭糸が連結部を挟んで分離しているものとすることができる。この場合、芯部の上下位置には拭糸が存在しない。
【００１４】
また、このモップ用拭糸体は、連結部が、芯体と可撓性シート材を備えてなり、
芯部は、芯体が可撓性シート材により被覆されてなるものとすることができる。この場合、可撓性シート材により被覆された芯部が、モップ用の柄が備える挟持体により挟持される。
【００１５】
本発明のモップ用拭糸体は、第１拭糸群の拭糸と第２拭糸群の拭糸が連結部において連続し、連結部が、芯体、及び、第１拭糸群の拭糸と第２拭糸群の拭糸の中間位置の拭糸を備えてなり、
第１拭糸群及び第２拭糸群がそれぞれ連結部の前及び後に位置するように水平方向に展開した場合に、連結部において芯体の上下に前記中間位置の拭糸が位置するものとすることができる。この場合、芯体の上下に拭糸が位置する芯部が、モップ用の柄が備える挟持体により挟持される。
【００１６】
また、このモップ用拭糸体は、連結部が、芯体と、可撓性シート材と、第１拭糸群の拭糸と第２拭糸群の拭糸の中間位置の拭糸を備えてなり、
第１拭糸群及び第２拭糸群がそれぞれ連結部の前及び後に位置するように水平方向に展開した場合に、連結部において芯体の上下に前記中間位置の拭糸が位置し、芯部は、前記芯体及びその芯体の上下の拭糸が前記可撓性シート材により被覆されてなるものであるものとすることができる。この場合、芯体の上下に拭糸が位置し、可撓性シート材により被覆された芯部が、モップ用の柄が備える挟持体により挟持される。
【００１７】
本発明のモップは、上記何れかのモップ用拭糸体と、そのモップ用拭糸体を挟持する挟持体を供えた柄とを備えてなるものである。
【発明の効果】
【００１８】
本発明のモップ用拭糸体及びモップによれば、モップ用の柄が備える挟持体により芯部の少なくとも一部を挟持した状態で外側に位置する両側面部を中心として床面等の対象物を拭くことができ、モップ用拭糸体を上下反転させてモップ用の柄が備える挟持体により芯部の少なくとも一部を挟持した状態では、元の状態では内側に位置し、この状態では外側に位置する両側面部を中心として床面等の対象物を拭くことができる。そのため、モップ用拭糸体の上下反転の前後の何れの状態でもモップ用の柄が備える挟持体によってモップ用拭糸体の芯部を挟持することにより柄とモップ用拭糸体を容易に結合し得ると共に、可及的に無駄なく効率的にモップ用拭糸体を清掃に利用することができる。
【図面の簡単な説明】
【００１９】
【図１】モップ用拭糸体の製造工程を示す説明図である。
【図２】モップ用拭糸体の製造工程を示す説明図である。
【図３】モップ用拭糸体の平面図である。
【図４】モップ用拭糸体の正面図である。
【図５】挟持体を備えた柄の要部斜視図である。
【図６】挟持体によるモップ用拭糸体の挟持を示す正面図である。
【図７】モップ用拭糸体の製造工程を示す説明図である。
【図８】モップ用拭糸体の製造工程を示す説明図である。
【図９】モップ用拭糸体の平面図である。
【発明を実施するための形態】
【００２０】
本発明の実施の形態を、図面を参照しつつ説明する。
【００２１】
(1) 図１乃至図６は、本発明の実施の形態の第１の例としてのモップに関するものである。
【００２２】
モップは、モップ用拭糸体Ｌと、挟持体Ｃを先端部に備えるモップ用の柄Ｈからなる。
【００２３】
モップ用の柄Ｈは、最も一般的な形態である円筒状体であるが、その他の筒状体や棒状体でもよく、その他の形態であってもよい。
【００２４】
挟持体Ｃは、柄Ｈの先端部に設けられており、柄Ｈの軸線方向に突設された固定挟持片Ｃ１と、柄Ｈの軸線に対し直交方向の揺動軸Ｃ２のまわりに揺動可能な可動挟持片Ｃ３からなる。可動挟持片Ｃ３は、ねじりコイルばねＣ４（付勢部材の一例）により弾性的に付勢されている。これにより、可動挟持片Ｃ３の先端部Ｃ３ａと固定挟持片Ｃ１の先端部Ｃ１ａの間に弾性的な挟圧力が付与されており、可動挟持片Ｃ３の基部を押圧することにより、ねじりコイルばねＣ４に抗して可動挟持片Ｃ３の先端部Ｃ３ａと固定挟持片Ｃ１の先端部Ｃ１ａの間を開くことができる。
【００２５】
モップ用拭糸体Ｌは、第１拭糸群Ｌ１及び第２拭糸群Ｌ２、並びに、それらの両拭糸群の基部同士をその基部の横方向幅Ｗにわたり連結する連結部Ｊからなる。第１拭糸群Ｌ１の拭糸Ｓと第２拭糸群Ｌ２の拭糸Ｓは連結部Ｊを挟んで分離している。
【００２６】
第１拭糸群Ｌ１及び第２拭糸群Ｌ２について、それらがそれぞれ連結部Ｊの前及び後に位置するように水平方向に展開した状態を説明すると、第１拭糸群Ｌ１及び第２拭糸群Ｌ２はそれぞれ所定の横方向幅Ｗと所定の上下方向の厚みＴにわたり多数の拭糸Ｓが略前後方向に並列状をなし、第１拭糸群Ｌ１は、上側及び下側にそれぞれ位置する側面部１Ａ及び側面部１Ｂを有し、第２拭糸群Ｌ２は、上側及び下側にそれぞれ位置する側面部２Ａ及び側面部２Ｂを有する。通常の場合、第１拭糸群Ｌ１と第２拭糸群Ｌ２は前後方向に対称状をなす。
【００２７】
第１拭糸群Ｌ１及び第２拭糸群Ｌ２は、例えば次のように製造することができる。すなわち、繊維製の紐状体を回転させて強い撚りをかけながら、第１拭糸群Ｌ１及び第２拭糸群Ｌ２の前後方向長さ（拭糸Ｓの方向の長さ）の和に相当する前後方向長さの両端間に、前記紐状体をその前後方向に繰り返し折り返して配することにより、所定の横方向幅Ｗと所定の上下方向厚みＴを形成する。その際、前後方向中央位置を挟んだ中央部両側並びに前後方向両端部を、それぞれミシン等を用いて、所定の横方向幅Ｗに達するまで糸で縫い進める。
【００２８】
両端部の糸を抜くと、紐に予めかけられた撚りによって、折り返した紐同士が撚り合わさり、撚り合わさった拭糸Ｓを構成する。次いで前後方向中央位置において切断することにより、その切断部を基部とする第１拭糸群Ｌ１及び第２拭糸群Ｌ２が得られる。それらの基部Ｌ１ａ・Ｌ２ａに対し、基部を被覆する布地（又はその他のシート材）を縫着等により固定することもできる。
【００２９】
なお、第１拭糸群Ｌ１を構成する多数の拭糸Ｓの前後方向中間位置の外周部に、拭糸Ｓの方向に対し横方向に布テープを巻回縫着する等により、それらの多数の拭糸Ｓを結束したものとすることもできる。第２拭糸群Ｌ２についても、同様に、それを構成する多数の拭糸Ｓを結束したものとすることもできる。後記の例やその他の例でも同じである。この場合、第１拭糸群Ｌ１及び第２拭糸群Ｌ２の多数の拭糸Ｓをまとめて扱うことが比較的容易となる。
【００３０】
連結部Ｊは、短手方向折曲線にて二つ折りされた帆布製の帯状シートＲ（可撓性シート材の一例。）と円筒状の芯体Ｐ１からなる。本発明における芯体は、金属製又は合成樹脂製とすることができるがこれに限らない。芯体の形状は円筒状に限らない。例えば円柱棒状でもよく、断面多角形状（四角形、六角形等）の筒状又は棒状でもよい。
【００３１】
両拭糸群の基部同士を連結部Ｊにより連結するには、第１拭糸群Ｌ１の基部及び第２拭糸群Ｌ２の基部を、間隔を挟んでそれらが互いに平行状に相対する状態とし、二つ折りされた帯状シートＲの間にそれらの両基部を挟む。その状態で、帯状シートＲの両側部を第１拭糸群Ｌ１及び第２拭糸群Ｌ２の各基部に縫着する。更に、第１拭糸群Ｌ１及び第２拭糸群Ｌ２の各基部よりも内側の各縫合線において、両基部に平行状に二つ折りの帯状シートＲを縫合することにより、それらの両縫合線の内側に、芯体Ｐ１を可及的に隙間なく挿入し得る挿入部を形成する。挿入部は、両基部の間の中央部において両基部に平行状をなす。なお、更に、帯状シートＲの二つ折り部にも、その二つ折り線に平行状に必要な縫合線を設けることが望ましい。形成された挿入部に、帯状シートＲの両端部（二つ折り線と逆側に位置する）が対峙する開口部から芯体Ｐ１を挿入し、帯状シートＲの両端部を縫合して前記開口部を閉じる。
【００３２】
このように帯状シートＲにより芯体Ｐ１が被覆されることにより、モップ用の柄Ｈが備える挟持体Ｃにより挟持するための芯部Ｐが構成されている。この例における芯部Ｐは、第１拭糸群Ｌ１及び第２拭糸群Ｌ２がそれぞれ連結部Ｊの前及び後に位置するように水平方向に展開した状態において、連結部Ｊにおける前後方向中央位置に、上下方向中央部において水平状に位置して前後方向及び上下方向に対称状をなし、第１拭糸群Ｌ１及び第２拭糸群Ｌ２の基部の全横方向幅Ｗにわたる。尤も、本発明における芯部Ｐの前後方向位置及び形状の対称性については、この例の場合に限るものではない。また、芯部Ｐは第１拭糸群Ｌ１の基部及び第２拭糸群Ｌ２の基部に対し一定の横方向幅Ｗ、例えば全幅と同じであるか又は全幅より小さい（例えば全幅の９割、８割、７割又は６割）若しくは大きい横方向幅Ｗにわたるものとすることができる。
【００３３】
モップ用拭糸体Ｌを、芯部Ｐを水平状にし、その芯部Ｐにおいて吊り下げることにより、側面部１Ｂと側面部２Ｂが相対するように第１拭糸群Ｌ１と第２拭糸群Ｌ２がそれぞれ芯部Ｐの両側に垂下した第１の状態となし得ると共に、上下反転させた状態（前後方向軸線のまわりに上下反転させた状態でも横方向軸線のまわりに上下反転させた状態でも同様）で水平状をなすようにした芯部Ｐにおいて吊り下げることにより、側面部１Ａと側面部２Ａが相対するように第１拭糸群Ｌ１と第２拭糸群Ｌ２がそれぞれ芯部Ｐの両側に垂下した第２の状態となし得る。
【００３４】
第１の状態及び第２の状態の何れにおいても、芯部Ｐの軸線方向におけるなるべく中央部を柄Ｈの挟持体Ｃにより上側から挟持することにより、柄Ｈとモップ用拭糸体Ｌを容易に結合させてモップ用拭糸体Ｌにより床面等を拭くことができる。挟持体Ｃにより芯部Ｐを挟持するには、可動挟持片Ｃ３の基部を押圧して可動挟持片Ｃ３の先端部Ｃ３ａと固定挟持片Ｃ１の先端部Ｃ１ａの間を開き、両者間に芯部Ｐの略中央部を挿入した後、可動挟持片Ｃ３の基部に対する押圧を解除する。これにより可動挟持片Ｃ３と固定挟持片Ｃ１により芯部Ｐが両側から挟持される。
【００３５】
芯部Ｐは、第１拭糸群Ｌ１及び第２拭糸群Ｌ２がそれぞれ連結部Ｊの前及び後に位置するように水平方向に展開した状態において、前記のように、連結部Ｊにおける前後方向中央位置に、上下方向中央部において水平状に位置して前後方向及び上下方向に対称状をなす。そのため、芯部Ｐは、挟持体Ｃにより上側から挟持する上で、第１の状態と第２の状態において実質上同一状をなす。
【００３６】
そのため、モップ用の柄Ｈが備える挟持体Ｃにより芯部Ｐの少なくとも一部を上側から挟持し、芯部Ｐが水平状をなすようにモップ用の柄Ｈにより吊り下げることにより、側面部１Ｂと側面部２Ｂが内側で相対し、側面部１Ａと側面部２Ａは互いに逆向きに外側に位置するように第１拭糸群Ｌ１と第２拭糸群Ｌ２がそれぞれ芯部Ｐの両側に垂下した第１の状態（図６）となし得ると共に、上下反転させた状態（モップ用拭糸体を、その前後方向軸線のまわり又は横方向軸線のまわりに上下反転させた状態）でモップ用の柄Ｈが備える挟持体Ｃにより芯部Ｐの少なくとも一部を上側から挟持し、芯部Ｐが水平状をなすようにモップ用の柄Ｈにより吊り下げることにより、側面部１Ａと側面部２Ａが内側で相対し、側面部１Ｂと側面部２Ｂは互いに逆向きに外側に位置するように第１拭糸群Ｌ１と第２拭糸群Ｌ２がそれぞれ芯部Ｐの両側に垂下した第２の状態となし得る。
【００３７】
従って、芯部Ｐを挟持体Ｃにより上側から挟持した第１の状態では、外側に位置する側面部１Ａと側面部２Ａを中心として床面等の対象物を拭くことができ、上下反転させて挟持体Ｃにより芯部Ｐの少なくとも一部を挟持した第２の状態では、外側に位置する側面部１Ｂと側面部２Ｂを中心として床面等の対象物を拭くことができる。そのため、第１の状態及び第２の状態の何れにおいても、モップ用の柄Ｈが備える挟持体Ｃによって芯部Ｐを挟持することにより柄Ｈとモップ用拭糸体Ｌを容易に結合し得ると共に、第１拭糸群Ｌ１の側面部１Ａ及び側面部１Ｂ、或いは、第２拭糸群Ｌ２の側面部２Ａ及び側面部２Ｂを中心として、可及的に無駄なく効率的にモップ用拭糸体Ｌを清掃に利用することができる。
【００３８】
(2) 図７乃至図９は、本発明の実施の形態の第２の例としてのモップに関するものである。
【００３９】
第２の例における第１の例との主な相違点は、モップ用拭糸体Ｌの第１拭糸群Ｌ１の拭糸Ｓと第２拭糸群Ｌ２の拭糸Ｓが連結部Ｊにおいて連続している点である。
【００４０】
この例のモップ用拭糸体Ｌは、例えば次のように製造することができる。すなわち、モップ用拭糸体Ｌの前後方向長さ（拭糸Ｓの方向の長さ）に相当する前後方向長さの中央部横方向に芯体Ｐ１を位置させ、モップ用拭糸体Ｌの前後方向長さの両端間にわたり、前記紐状体を芯体Ｐ１の上下を交互に通過させつつ前後方向に繰り返し折り返して配することにより、芯体Ｐ１の長さと同じ所定の横方向幅Ｗと所定の上下方向厚みＴを形成する。
【００４１】
次に、芯体Ｐ１の上下の拭糸Ｓを、帆布製の帯状シートＲを二つ折りした間に挟んで覆い、芯体Ｐ１の両側位置において、拭糸Ｓを間に挟んで二つ折りの帯状シートＲ同士を縫合し、更に帯状シートＲの両端部（二つ折り線と逆側に位置する）を縫合して開口部を閉じる。その後、前後方向両端において拭糸Ｓの折り返し部を切除する。
【００４２】
このようにして得られるモップ用拭糸体Ｌは、第１拭糸群Ｌ１及び第２拭糸群Ｌ２、並びに、それらの両拭糸群の基部同士をその基部の横方向幅Ｗにわたり連結する連結部Ｊからなり、第１拭糸群Ｌ１の拭糸Ｓと第２拭糸群Ｌ２の拭糸Ｓが連結部Ｊにおいて連続し、連結部Ｊは、芯体Ｐ１、第１拭糸群Ｌ１の拭糸Ｓと第２拭糸群Ｌ２の拭糸Ｓの中間位置の拭糸Ｓ、及び帯状シートＲからなる。
【００４３】
このモップ用拭糸体Ｌを、第１拭糸群Ｌ１及び第２拭糸群Ｌ２がそれぞれ連結部Ｊの前及び後に位置するように水平方向に展開した場合、連結部Ｊにおいて芯体Ｐ１の上下に前記中間位置の拭糸Ｓが上下対称状（必ずしもこれに限らない）に位置し、芯部Ｐは、前記芯体Ｐ１及びその芯体Ｐ１の上下の拭糸Ｓが前記可撓性シート材により被覆されてなる。芯部Ｐは、連結部Ｊにおける前後方向中央位置に、上下方向中央部において水平状に位置して前後方向及び上下方向に対称状をなし、第１拭糸群Ｌ１及び第２拭糸群Ｌ２の基部の全横方向幅Ｗにわたる。
【００４４】
柄Ｈとモップ用拭糸体Ｌの結合は、第１の例と同様に行うことができる。また、芯部Ｐが、挟持体Ｃにより上側から挟持する上で、第１の例で説明した第１の状態と第２の状態において実質上同一状をなす点も、第１の例と同様である。
【００４５】
なお、本発明における拭糸としては、例えば、撚糸等からなる紐状物、不織布や織布等からなる細幅帯状物などを挙げることができる。
また、以上の実施の形態についての記述における上下位置関係は、図に基づいた説明の便宜のためのものであって、実際の使用状態等を限定するものではない。
【符号の説明】
【００４６】
Ｃ      挟持体
Ｃ１    固定挟持片
Ｃ１ａ  先端部
Ｃ２    揺動軸
Ｃ３    可動挟持片
Ｃ３ａ  先端部
Ｃ４    ねじりコイルばね
Ｈ      柄
Ｊ      連結部
Ｌ      モップ用拭糸体
Ｌ１    第１拭糸群
Ｌ１ａ  基部
１Ａ    側面部
１Ｂ    側面部
Ｌ２    第２拭糸群
Ｌ２ａ  基部
２Ａ    側面部
２Ｂ    側面部
Ｐ      芯部
Ｐ１    芯体
Ｒ      帯状シート
Ｓ      拭糸
Ｔ      厚み
Ｗ      横方向幅
【図１】
2010259608.tif 000003
【図２】
2010259608.tif 000004
【図３】
2010259608.tif 000005
【図４】
2010259608.tif 000006
【図５】
2010259608.tif 000007
【図６】
2010259608.tif 000008
【図７】
2010259608.tif 000009
【図８】
2010259608.tif 000010
【図９】
2010259608.tif 000011